(57)【要約】【課題】撮影を中断しないようにして所望の記録メディアにデータを記録できるようにする。【解決手段】メモリカード２００が装着されていない場合であっても、ＨＤＤ１０５に動画ストリームを記録する。そして、ＨＤＤ１０５に動画ストリームを記録している時にメモリカード２００が装着された場合には、動画ストリームの生成を継続したまま、記録先をメモリカード２００へ切り替える。さらに、記録処理が終了した後に、同一撮影シーンである動画ストリームをＨＤＤ１０５からメモリカード２００へコピーするようにして、撮影機会を逃さないようにするとともに、撮影後に所望の記録メディアにデータをコピーする時間を短縮できるようにする。【選択図】図１
2009260733.tif 000002
【特許請求の範囲】
【請求項１】
画像データを第１の記録媒体または第２の記録媒体に記録する記録手段と、
前記第２の記録媒体が装着されているか否かを検知する検知手段と、
前記検知手段によって検知された第２の記録媒体に対して記録可能か否かを判定する判定手段と、
前記第１の記録媒体に対して前記画像データを記録している時に、前記判定手段によって前記第２の記録媒体に対して記録可能と判定された場合に、前記第１の記録媒体に対する前記画像データの記録を中止して、前記第２の記録媒体に対して前記画像データの記録を行うように前記記録手段を制御する制御手段とを備えることを特徴とする画像記録装置。
【請求項２】
前記判定手段は、前記第２の記録媒体の記録残容量を参照することにより、前記第２の記録媒体に対して記録可能か否かを判定することを特徴とする請求項１に記載の画像記録装置。
【請求項３】
前記判定手段は、前記第２の記録媒体の書き込み速度を参照することにより、前記第２の記録媒体に対して記録可能か否かを判定することを特徴とする請求項１または２に記載の画像記録装置。
【請求項４】
前記画像データは、動画データであることを特徴とする請求項１〜３の何れか１項に記載の画像記録装置。
【請求項５】
入力された画像信号に対してフレーム間差分を用いて符号化し、前記動画データを生成する動画像符号化手段と、
前記動画像符号化手段による符号化処理における符号量を制御する符号量制御手段とをさらに備え、
前記符号量制御手段は、前記第１の記録媒体に記録される動画データと、前記第２の記録媒体に記録される動画データとがシームレスに再生できるように前記符号量を調整することを特徴とする請求項４に画像記録装置。
【請求項６】
前記動画像符号化手段は、前記第１の記録媒体に記録される動画データと前記第２の記録媒体に記録される動画データとがそれぞれ、他方の動画データに参照データが存在しないように符号化を行うことを特徴とする請求項５に記載の画像記録装置。
【請求項７】
前記第１の記録媒体と前記第２の記録媒体との間でデータの転送を行うデータ転送手段をさらに備え、
前記制御手段は、前記第１の記録媒体に記録された動画データを前記第２の記録媒体へ転送するように前記データ転送手段を制御することを特徴とする請求項４〜６の何れか１項に記載の画像記録装置。
【請求項８】
前記制御手段は、前記記録手段によって前記第２の記録媒体に動画データを記録した後に、前記第１の記録媒体に記録された動画データを前記第２の記録媒体へ転送するように前記データ転送手段を制御することを特徴とする請求項７に記載の画像記録装置。
【請求項９】
前記制御手段は、前記第２の記録媒体の書き込み速度に応じて、前記記録手段によって前記第２の記録媒体に動画データを記録している時に、前記第１の記録媒体に記録された動画データを前記第２の記録媒体へ転送するように前記データ転送手段を制御することを特徴とする請求項７に記載の画像記録装置。
【請求項１０】
前記データ転送手段による動画データの転送を終了した後に、前記データ転送手段によって前記第２の記録媒体に転送された動画データと前記記録手段によって前記第２の記録媒体に記録された動画データとを関連付けるための管理情報を生成する管理情報生成手段をさらに備えることを特徴する請求項７〜９の何れか１項に記載の画像記録装置。
【請求項１１】
画像データを第１の記録媒体または第２の記録媒体に記録する記録手段と、
前記第２の記録媒体が装着されたことを検知する検知手段と、
前記第１の記録媒体に対する前記画像データの記録中に、前記検知手段によって前記第２の記録媒体の装着を検知した場合に、前記第１の記録媒体に対する前記画像データの記録を中止して、前記第２の記録媒体に対して前記画像データの記録を行うように前記記録手段を制御する制御手段とを備えることを特徴とする画像記録装置。
【請求項１２】
画像データを第１の記録媒体または第２の記録媒体に記録する記録工程と、
前記第２の記録媒体が装着されているか否かを検知する検知工程と、
前記検知工程において検知した第２の記録媒体に対して記録可能か否かを判定する判定工程と、
前記第１の記録媒体に対して前記画像データを記録している時に、前記判定工程において前記第２の記録媒体に対して記録可能と判定した場合に、前記第１の記録媒体に対する前記画像データの記録を中止して、前記第２の記録媒体に対して前記画像データの記録を行うように前記記録工程における処理を制御する制御工程とを備えることを特徴とする画像記録方法。
【請求項１３】
画像データを第１の記録媒体または第２の記録媒体に記録する記録工程と、
前記第２の記録媒体が装着されたことを検知する検知工程と、
前記第１の記録媒体に対する前記画像データの記録中に、前記検知工程において前記第２の記録媒体の装着を検知した場合に、前記第１の記録媒体に対する前記画像データの記録を中止して、前記第２の記録媒体に対して前記画像データの記録を行うように前記記録工程における処理を制御する制御工程とを備えることを特徴とする画像記録方法。
【請求項１４】
画像データを第１の記録媒体または第２の記録媒体に記録する記録工程と、
前記第２の記録媒体が装着されているか否かを検知する検知工程と、
前記検知工程において検知した第２の記録媒体に対して記録可能か否かを判定する判定工程と、
前記第１の記録媒体に対して前記画像データを記録している時に、前記判定工程において前記第２の記録媒体に対して記録可能と判定した場合に、前記第１の記録媒体に対する前記画像データの記録を中止して、前記第２の記録媒体に対して前記画像データの記録を行うように前記記録工程における処理を制御する制御工程とをコンピュータに実行させることを特徴とするプログラム。
【請求項１５】
画像データを第１の記録媒体または第２の記録媒体に記録する記録工程と、
前記第２の記録媒体が装着されたことを検知する検知工程と、
前記第１の記録媒体に対する前記画像データの記録中に、前記検知工程において前記第２の記録媒体の装着を検知した場合に、前記第１の記録媒体に対する前記画像データの記録を中止して、前記第２の記録媒体に対して前記画像データの記録を行うように前記記録工程における処理を制御する制御工程とをコンピュータに実行させることを特徴とするプログラム。
【請求項１６】
請求項１４または１５に記載のプログラムを記憶したことを特徴とするコンピュータ読み取り可能な記憶媒体。
【発明の詳細な説明】
【技術分野】
【０００１】
本発明は画像記録装置、画像記録方法、プログラム及び記憶媒体に関し、特に、リリーフ機能が備わったＤＶＤレコーダ等に用いて好適な技術に関する。
【背景技術】
【０００２】
従来、ハードディスク（ＨＤＤ）やＤＶＤなどの複数の記録媒体に対し、動画データを記録再生するＨＤＤ内蔵のＤＶＤレコーダ等の記録装置が知られている。この種のレコーダにおいては一般的に、ユーザは記録前に記録先のメディアを選択し、選択されたメディアに対して動画データを記録する構成となっている（例えば、特許文献１参照）。
【０００３】
また、ＤＶＤレコーダにおいては、予約録画機能が一般的に備わっている。この予約録画の際も、記録先のメディアを選択し、録画予約を行っている。また、記録先のメディアとしてＤＶＤが選択されているにもかかわらず、録画開始時刻にＤＶＤが装着されていない場合、或いは、ＤＶＤの記録残容量が無い場合に、ＨＤＤに動画データを記録するリリーフ機能が備わったＤＶＤレコーダも知られている。
【０００４】
【特許文献１】特開２００５−５０３９６号公報
【発明の開示】
【発明が解決しようとする課題】
【０００５】
しかしながら、ユーザがリリーフ機能によりＨＤＤに録画された動画データをＤＶＤにコピーしたい場合、ユーザは、録画が終了した後に、ＨＤＤからＤＶＤに動画データをコピーする必要がある。このとき、記録したデータ量によっては、コピーに長時間を要することもあり、その間、通常の記録を行うことができない。
【０００６】
近年では、据え置き用のＤＶＤレコーダだけではなく、ビデオカメラにおいても、ＨＤＤやメモリカードといった複数の記録媒体に対してデータを記録再生することが可能な装置が登場している。この様なビデオカメラにおいては、ＨＤＤに記録した動画データをＨＤＤからメモリカード、或いは他の記録メディアに対してコピーしている間は撮影を行うことができない。そのため、撮影を中断して撮影機会を逃してしまうという問題点がある。
【０００７】
本発明は前述の問題点に鑑み、撮影を中断しないようにして所望の記録メディアにデータを記録できるようにすることを目的としている。
【課題を解決するための手段】
【０００８】
本発明の画像記録装置は、画像データを第１の記録媒体または第２の記録媒体に記録する記録手段と、前記第２の記録媒体が装着されているか否かを検知する検知手段と、前記検知手段によって検知された第２の記録媒体に対して記録可能か否かを判定する判定手段と、前記第１の記録媒体に対して前記画像データを記録している時に、前記判定手段によって前記第２の記録媒体に対して記録可能と判定された場合に、前記第１の記録媒体に対する前記画像データの記録を中止して、前記第２の記録媒体に対して前記画像データの記録を行うように前記記録手段を制御する制御手段とを備えることを特徴とする。
また、本発明の画像記録装置の他の特徴とするところは、画像データを第１の記録媒体または第２の記録媒体に記録する記録手段と、前記第２の記録媒体が装着されたことを検知する検知手段と、前記第１の記録媒体に対する前記画像データの記録中に、前記検知手段によって前記第２の記録媒体の装着を検知した場合に、前記第１の記録媒体に対する前記画像データの記録を中止して、前記第２の記録媒体に対して前記画像データの記録を行うように前記記録手段を制御する制御手段とを備えることを特徴とする。
【０００９】
本発明の画像記録方法は、画像データを第１の記録媒体または第２の記録媒体に記録する記録工程と、前記第２の記録媒体が装着されているか否かを検知する検知工程と、前記検知工程において検知した第２の記録媒体に対して記録可能か否かを判定する判定工程と、前記第１の記録媒体に対して前記画像データを記録している時に、前記判定工程において前記第２の記録媒体に対して記録可能と判定した場合に、前記第１の記録媒体に対する前記画像データの記録を中止して、前記第２の記録媒体に対して前記画像データの記録を行うように前記記録工程における処理を制御する制御工程とを備えることを特徴とする。
また、本発明の画像記録方法の他の特徴とするところは、画像データを第１の記録媒体または第２の記録媒体に記録する記録工程と、前記第２の記録媒体が装着されたことを検知する検知工程と、前記第１の記録媒体に対する前記画像データの記録中に、前記検知工程において前記第２の記録媒体の装着を検知した場合に、前記第１の記録媒体に対する前記画像データの記録を中止して、前記第２の記録媒体に対して前記画像データの記録を行うように前記記録工程における処理を制御する制御工程とを備えることを特徴とする。
【００１０】
本発明のプログラムは、画像データを第１の記録媒体または第２の記録媒体に記録する記録工程と、前記第２の記録媒体が装着されているか否かを検知する検知工程と、前記検知工程において検知した第２の記録媒体に対して記録可能か否かを判定する判定工程と、前記第１の記録媒体に対して前記画像データを記録している時に、前記判定工程において前記第２の記録媒体に対して記録可能と判定した場合に、前記第１の記録媒体に対する前記画像データの記録を中止して、前記第２の記録媒体に対して前記画像データの記録を行うように前記記録工程における処理を制御する制御工程とをコンピュータに実行させることを特徴とする。
本発明のプログラムの他の特徴とするところは、画像データを第１の記録媒体または第２の記録媒体に記録する記録工程と、前記第２の記録媒体が装着されたことを検知する検知工程と、前記第１の記録媒体に対する前記画像データの記録中に、前記検知工程において前記第２の記録媒体の装着を検知した場合に、前記第１の記録媒体に対する前記画像データの記録を中止して、前記第２の記録媒体に対して前記画像データの記録を行うように前記記録工程における処理を制御する制御工程とをコンピュータに実行させることを特徴とする。
【００１１】
本発明の記憶媒体は、前記の何れかに記載のプログラムを記憶したことを特徴とする。
【発明の効果】
【００１２】
本発明によれば、撮影を中断しないようにして所望の記録メディアにデータを記録することができる。したがって、撮影機会を逃さないようにするとともに、撮影後に所望の記録メディアにデータをコピーする時間を短縮することができる。
【発明を実施するための最良の形態】
【００１３】
（第１の実施形態）
以下、図面を参照しながら本発明の実施形態について説明する。
図１は、本実施形態に係る画像記録装置１００の概略構成例を示すブロック図である。
図１において、動画像符号化部１０１は、ＣＣＤなどの撮像素子を含む不図示のレンズユニット（撮像部）によって取り込まれた撮像信号がＡ／Ｄ変換された電気信号を入力する。そして、入力された動画信号をＭＰＥＧ−４  ＡＶＣ／Ｈ．２６４などのフレーム間差分を用いて符号化し、動画ストリーム（動画データ）を生成する。
【００１４】
符号量制御部１０２は、動画像符号化部１０１において生成される動画ストリームの符号量が目標符号量となるように制御するためのものである。また、ストリームバッファ１０３は、動画像符号化部１０１において生成される動画ストリームを一時的に保持するバッファメモリである。データ転送部１０４は、ＨＤＤ１０５及びメモリカード２００とのＩ／Ｆとして機能し、画像データである動画ストリーム等の記録、再生及びデータの転送を行う。
【００１５】
第１の記録媒体であるＨＤＤ１０５は、画像記録装置１００に内蔵された記録メディアである。記録媒体検知部１０６は、メモリカード２００が装着されたか否かを検知するためのものである。記録媒体判定部１０７は、記録媒体検知部１０６によって検知されたメモリカード２００が記録可能であるか否かを判定したり、記録残容量及び書き込み速度を判定したりする。また、管理情報生成部１０８は、ＨＤＤ１０５及びメモリカード２００に記録されている動画ストリームを管理するための動画像管理情報データを生成する。
【００１６】
ＣＰＵ１０９は、画像記録装置１００全体を制御するためのものである。また、操作部１１０は、電源スイッチや、記録開始及び停止を指示するためのトリガスイッチ、再生スイッチなどの各種のスイッチを備えている。さらに、画像記録装置１００には、第２の記録媒体である着脱可能なメモリカード２００が装着されている。以上のように画像記録装置１００は、動画像符号化部１０１〜ＣＰＵ１０９によって構成されている。
【００１７】
まず、通常の記録動作について説明する。
操作部１１０より記録開始の指示を受けると、不図示の撮像部により得られた画像信号が、動画像符号化部１０１に入力される。動画像符号化部１０１は、入力された画像信号を符号化し、動画ストリームを生成してストリームバッファ１０３に出力する。
【００１８】
本実施形態では、ＨＤＤ１０５及びメモリカード２００の何れか一方を選択して動画ストリームを記録することができる。ユーザにより、操作部１１０が操作されることにより、ＨＤＤ１０５及びメモリカード２００のうち、何れか一方を選択して動画ストリームを記録する。
【００１９】
記録先としてＨＤＤ１０５が選択されていた場合、データ転送部１０４は、ストリームバッファ１０３から符号化された動画ストリームを読み出し、ＨＤＤ１０５に記録する。また、記録動作を終了した後に、管理情報生成部１０８は管理情報を生成し、データ転送部１０４を介してＨＤＤ１０５に管理情報を記録する。
【００２０】
一方、記録先としてメモリカード２００が選択されていた場合、データ転送部１０４は、ストリームバッファ１０３から動画ストリームを読み出し、メモリカード２００に記録する。また、記録動作を終了した後に、管理情報生成部１０８は管理情報を生成し、データ転送部１０４を介してメモリカード２００に管理情報を記録する。
【００２１】
なお、本実施形態では、通常の記録時においては、ユーザによる記録開始の指示から記録停止の指示までの間に、ＨＤＤ１０５またはメモリカード２００に記録された一連の動画ストリームを１つのファイルとして管理する。また、メモリカード２００は、不図示のカードスロットにより画像記録装置１００に対して自由に装着及び排出が可能である。記録媒体検知部１０６は、メモリカード２００が画像記録装置１００に対して装着されているか否かを検知し、ＣＰＵ１０９にその結果の信号を送る。
【００２２】
また、記録先としてメモリカード２００が選択されている状態で、記録媒体検知部１０６によりメモリカード２００が装着されていないと判定した場合、ＣＰＵ１０９は、ＨＤＤ１０５に対して動画ストリームを記録するように制御する。
【００２３】
次に、メモリカード２００が装着されていない状態でＨＤＤ１０５に対して動画ストリームを記録しているときに、メモリカード２００が装着された場合の処理について説明する。本実施形態では、メモリカード２００が装着された時点で、記録先をＨＤＤ１０５からメモリカード２００に切り替えて動画ストリームを記録する。
【００２４】
図２は、ＨＤＤ１０５に対して動画ストリームを記録しているときに、メモリカード２００が装着された場合の処理手順の一例を示すフローチャートである。なお、図２に示す各処理は、ＣＰＵ１０９が画像記録装置１００の各部を制御することにより実現される。
【００２５】
まず、メモリカード２００が画像記録装置１００に装着されていない状態で、操作部１１０から記録要求を受けると処理を開始する。そして、ステップＳ２０１において、動画像符号化部１０１によって生成された動画ストリームを、ファイルとしてＨＤＤ１０５に記録する。次に、ステップＳ２０２において、ユーザにより操作部１１０が操作され、記録終了の指示があったか否かを判定する。
【００２６】
この判定の結果、記録終了の指示があった場合は、ステップＳ２０３に進み、記録終了動作を行って処理を終了する。具体的には、管理情報生成部１０８は管理情報を生成し、ＨＤＤ１０５に管理情報を記録して処理を終了する。一方、ステップＳ２０２の判定の結果、記録終了の指示がない場合は、ステップＳ２０４に進み、記録媒体検知部１０６は、メモリカード２００が装着されているか否かを判定する。この判定の結果、メモリカード２００が装着されていない場合は、ステップＳ２０１へ戻る。
【００２７】
一方、ステップＳ２０４の判定の結果、メモリカード２００が装着された場合は、ステップＳ２０５に進む。そして、ステップＳ２０５において、記録媒体判定部１０７は、記録可能なメモリカードであるか否かを判別するとともに記録残容量及び書き込み速度を検出することにより、装着されたメモリカードへ記録することが可能であるか否かを判定する。この判定の結果、記録することができない場合は、ステップＳ２０１へ戻る。
【００２８】
一方、ステップＳ２０５の判定の結果、記録することが可能である場合は、ステップＳ２０６に進む。そして、ステップＳ２０６において、動画像符号化部１０１による動画ストリームの生成を中止せずに、ステップＳ２０１で記録を開始したＨＤＤ１０５に対する動画ストリームのファイルの書き込みを停止する。
【００２９】
次に、ステップＳ２０７において、動画像符号化部１０１において生成する動画像ストリームを、新たなファイルとしてメモリカード２００へ記録する。次に、ステップＳ２０８において、ユーザにより操作部１１０が操作され、記録終了の指示があったか否かを判定する。この判定の結果、記録終了の指示があった場合は、ステップＳ２０３に進み、前述したように記録停止動作を行い、処理を終了する。一方、ステップＳ２０８の判定の結果、記録終了の指示がない場合は、ステップＳ２０７へ戻り、引き続き記録処理を行う。
【００３０】
前述したように、ステップＳ２０６において、ＨＤＤ１０５に対する動画ストリームのファイルの記録を停止し、ステップＳ２０７において、メモリカード２００に対して動画ストリームのファイルの記録を開始する。この時、符号量制御部１０２は、この２つの動画ストリームがシームレスに再生可能な符号化データになるように符号化処理における符号量を調整する。さらに、動画像符号化部１０１は、フレーム間予測を行う際に、この２つの動画ストリームがそれぞれ、互いに他方の動画ストリームに参照データが存在しないように符号化を行う。これにより、記録処理を終了した後にメディア間でコピーをしない場合も、それぞれ分割されたファイルを単体で再生することができる。
【００３１】
図３は、図２のステップＳ２０６及びＳ２０７で撮影中（記録中）に記録する記録媒体を切り替え、記録が終了した場合の記録待機状態においてメディア間でデータのコピーを行う処理手順の一例を示すフローチャートである。なお、図３に示す各処理についても、ＣＰＵ１０９が画像記録装置１００の各部を制御することにより実現される。
【００３２】
撮影中に記録媒体の切り替え動作を行った直後において、ＨＤＤ１０５には、第１の動画ストリームファイル（0001.mts）が記録されているものとする。そして、メモリカード２００には、第２の動画ストリームファイル（0002.mts）が記録されているものとする。この場合には、ＨＤＤ１０５に記録されている第１の動画ストリームファイル（0001.mts）をメモリカード２００へコピーする動作を行う。
【００３３】
まず、操作部１１０よりデータのコピーを行う指示を受けると、コピー処理を開始する。まず、ステップＳ３０１において、ユーザにより操作部１１０が操作され、記録処理の指示を受けていないか否かを判定する。この判定の結果、記録処理の指示を受けている場合は、メディア間においてデータのコピーを終了して記録動作に移行し、処理を終了する。
【００３４】
一方、ステップＳ３０１の判定の結果、記録処理の指示を受けていない場合は、ステップＳ３０２に進み、第１の動画ストリームファイルのデータをすべてメモリカード２００にコピーしたか否かを判定する。この判定の結果、まだコピーしていないデータがある場合は、まだ第１の動画ストリームファイルのコピーされていない分のデータを所定サイズ分だけメモリカード２００にコピーし、ステップＳ３０１へ戻る。
【００３５】
一方、ステップＳ３０２の判定の結果、全てコピーした場合は、ステップＳ３０４に進み、管理情報生成部１０８は２つの動画ストリームを関連付けるための管理情報を生成し、メモリカード２００に記録する。ここで、第１の動画ストリームファイルをコピーしてメモリカード２００に記録されたファイルを第３の動画ストリームファイル（0003.mts）と定義する。ステップＳ３０４では、第３の動画ストリームファイルと第２の動画ストリームファイルとが同一撮影動作による連続した動画であることを示す管理情報（例えば、プレイリスト）を生成する。そして、ステップＳ３０４で管理情報をメモリカード２００に記録した後に、メディア間におけるデータのコピー処理を終了する。
【００３６】
また、本実施形態では、メディア間においてコピーする動画ストリームが１つの場合について説明したが、動画ストリームが複数ある場合は、コピーする動画ストリームの数に応じてこの動作を再度実行してもよい。
【００３７】
さらに、本実施形態では、メディア間においてデータのコピー動作を記録終了後の記録待機状態の時に行った。一方、記録媒体判定部１０７によって判定されたメモリカード２００の書き込み速度が、動画像符号化部１０１において生成される動画ストリームの書き込みレートに比べて十分に余裕がある場合は、ステップＳ２０７の処理の後に実行してもよい。すなわち、メモリカード２００に対して記録処理を行っている最中に、データのコピーを行ってもよい。これにより、記録処理を終了した後にメディア間でコピーする時間を短縮することができる。
【００３８】
なお、本実施形態では、記録媒体としてＨＤＤ１０５とメモリカード２００とに動画ストリームを記録する例について説明したが、これ以外の記録媒体を用いることも勿論可能である。また、３つ以上の記録媒体に対して動画ストリームを記録再生する装置に対しても、同様に本発明を適用することが可能である。
【００３９】
以上のように本実施形態によれば、メモリカード２００が装着されていない場合であっても、ＨＤＤ１０５に動画ストリームを記録する。そして、ＨＤＤ１０５に動画ストリームを記録している時にメモリカード２００が装着された場合には、動画ストリームの生成を継続したまま、記録先をメモリカード２００へ切り替える。さらに、記録処理が終了した後に、同一撮影シーンである動画ストリームをＨＤＤ１０５からメモリカード２００へコピーするようにした。これにより、撮影を中断しないようにして所望の記録メディアにデータを記録することができる。
【００４０】
（本発明に係る他の実施形態）
前述した本発明の実施形態における画像記録装置を構成する各手段、並びに画像記録方法の各工程は、コンピュータのＲＡＭやＲＯＭなどに記憶されたプログラムが動作することによって実現できる。このプログラム及び前記プログラムを記憶したコンピュータ読み取り可能な記憶媒体は本発明に含まれる。
【００４１】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００４２】
なお、本発明は、前述した実施形態の機能を実現するソフトウェアのプログラム（実施形態では図２及び図３に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００４３】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４４】
その場合、プログラムの機能を有していれば、オブジェクトコード、インタプリタにより実行されるプログラム、ＯＳに供給するスクリプトデータ等の形態であってもよい。
【００４５】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００４６】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記憶媒体にダウンロードすることによっても供給できる。
【００４７】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４８】
また、その他の方法として、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００４９】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００５０】
さらに、その他の方法として、まず記憶媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００５１】
【図１】本発明の実施形態に係る画像記録装置の概略構成例を示すブロック図である。
【図２】本発明の実施形態における撮影中に記録媒体の切り替え動作手順の一例を示すフローチャートである。
【図３】本発明の実施形態において、記録待機状態でのメディア間におけるデータのコピー動作手順の一例を示すフローチャートである。
【符号の説明】
【００５２】
１００  画像記録装置
１０１  動画像符号化部
１０２  符号量制御部
１０３  ストリームバッファ
１０４  データ転送部
１０５  ＨＤＤ
１０６  記録媒体検知部
１０７  記録媒体判定部
１０８  管理情報生成部
１０９  ＣＰＵ
１１０  操作部
２００  メモリカード
【図１】
2009260733.tif 000003
【図２】
2009260733.tif 000004
【図３】
2009260733.tif 000005